(57)【要約】【課題】本発明の窓用転落防止装置は、転落を防止し、視野に入らないようにし、優れた見掛けを確保することができることを目的とする。【解決手段】  ２つの窓枠水平部材と、窓枠垂直部材とで構成される窓枠と、２つの引き戸垂直部材と、２つの引き戸垂直部材の上端と下端とを連結する引き戸水平部材とで構成され、窓枠の窓枠水平部材に沿ってスライディングしながら移動する引き戸枠とで構成される窓用転落防止装置において、ガイド部材と；一側が前記ガイド部材と連結され、ガイド部材に沿って移動可能に設置されており、チェーンが連続的に連結されて形成されている複数の垂直チェーンワイヤと；一側端部は一側の引き戸垂直部材に連結され、他側端部は一側の引き戸垂直部材が移動して合う部分の窓枠垂直部材に連結され、チェーンが連続的に連結されて形成され、中間部分が垂直チェーンワイヤと連結されている複数の水平チェーンワイヤ；とを含んで構成される窓用転落防止装置。【選択図】図１
2014526003.tif 000002
【特許請求の範囲】
【請求項１】
水平に平行するように互いに離間して設置されている２つの窓枠水平部材（１ａ）と、前記２つの窓枠水平部材（１ａ）の上端と下端とを連結する窓枠垂直部材（１ｂ）とで構成される窓枠（１）と、２つの引き戸垂直部材（２ｂ）と、前記２つの引き戸垂直部材（２ｂ）の上端と下端とを連結する引き戸水平部材（２ａ）とで構成され、前記窓枠（１）の窓枠水平部材（１ａ）に沿ってスライディングしながら移動する引き戸枠（２）とで構成される窓用転落防止装置において、
前記窓枠水平部材（１ａ）と平行するように設置されているガイド部材（１０）と；
一側が前記ガイド部材（１０）と連結され、前記ガイド部材（１０）に沿って移動可能に設置されており、チェーンが連続的に連結されて形成されている複数の垂直チェーンワイヤ（２０）と；
一側端部は前記一側の引き戸垂直部材（２ｂ）に連結され、他側端部は前記一側の引き戸垂直部材（２ｂ）が移動して合う部分の前記窓枠垂直部材（１ｂ）に連結され、チェーンが連続的に連結されて形成され、中間部分が前記垂直チェーンワイヤ（２０）と連結されている複数の水平チェーンワイヤ（３０）；とを含んで構成される窓用転落防止装置。
【請求項２】
前記水平チェーンワイヤ（３０）の一側端部は、前記引き戸垂直部材（２ｂ）と着脱可能に連結されていることを特徴とする請求項１に記載の窓用転落防止装置。
【請求項３】
前記水平チェーンワイヤ（３０）の他側端部は、前記窓枠垂直部材（１ｂ）と着脱可能に連結されていることを特徴とする請求項１に記載の窓用転落防止装置。
【請求項４】
前記ガイド部材（１０）、前記垂直チェーンワイヤ（２０）及び前記水平チェーンワイヤ（３０）は、室内側または室外側の中の何れか１ヶ所に設置されていることを特徴とする請求項１に記載の窓用転落防止装置。
【発明の詳細な説明】
【技術分野】
【０００１】
本発明は子供などが窓から転落することを防止するための窓用転落防止装置に関する。
【背景技術】
【０００２】
一般に、共同住宅に設置されているスライド式窓は四角形の窓枠の内側に形成された溝に左右側の引き戸がスライド可能に挟まれて、引き戸を開放した時害虫が室内に侵入することを防止するために窓枠に防虫網が設置されていた。
【０００３】
しかし、従来、窓に設置されている防虫網は構造的に非常に弱くて、負荷がかかると破れたり曲がってしまって、窓枠から容易に脱離される問題点があった。
【０００４】
即ち、換気のために、引き戸を開けた状態で防虫網を閉めておいた場合、子供などが窓の前に配置されているテーブルや家具の上に上がって遊んでいる途中に窓に設置された防虫網に体をかけると、防虫網が破れたり曲がって子供が窓枠から飛び出して転落事故が発生する問題点があった。
【０００５】
このような問題点を解消するための技術として「共同住宅用窓の転落防止構造」（韓国登録特許公報第１０−０６８９７５３号）では、ラックギアとピニオンギアが上下方向に噛み合うようにして、窓との干渉を避けて窓枠に形成する長孔を排除することによって窓枠の剛性を保持することができるようにした。
【０００６】
しかし、上記のような構造は、共同住宅の窓枠に複数のギアを設置しなければならないが、ギアを取付けるための空間形成が難しく、雨水によってさびがついて錆汁が流れる問題と、住宅の見掛けを損なう問題、及び内部で視野を遮る問題などがあった。
【０００７】
一方、防犯を目的とする防犯窓の分野において、折畳まれた状態で防犯窓が外部に露出されないようにすることによって見掛けを損なわないようにした技術が「ロック及び解除が容易な折畳み式防犯窓」（韓国登録特許公報第１０−０７１０７４９号）に公開されたことがある。
【０００８】
上記技術は折畳み式防犯窓の一側端を窓枠に固定し、その他側端は引き戸に連結することによって、折り畳まれた状態で防犯窓が外部に露出されないようにして、建築及び都市の見掛けを損なわずに、容易に窓に取付け及び解除することができた。
【０００９】
しかし、上記のような技術は、リンクに切開孔を形成する構成で、リンクが切開孔に挿入されるためには、各リンクが縦枠と正確に一直線を保持しなければならないため、引き戸枠が拗じれて設置される場合、各縦枠が正確に動くことができなくて、円滑に移動することができなく、故障しやすいという問題点もあった。
【発明の概要】
【発明が解決しようとする課題】
【００１０】
本発明の窓用転落防止装置は、上記のような従来技術で発生する問題点を解消するためになされたもので、水平チェーンワイヤの一側は引き戸枠に連結し、他側は窓枠に連結したまま引き戸を開ける時には水平チェーンワイヤが窓の開口部を阻んで転落を防止し、引き戸を閉める時には、引き戸枠と窓枠との間に水平チェーンワイヤ及び垂直チェーンワイヤが密着された状態を保持して、視野に入らないようにし、優れた見掛けを確保することができることを目的とする。
【００１１】
同時に、水平チェーンワイヤは選択的に引き戸枠や窓枠に着脱可能に構成されることによって、火事などの非常時に脱出可能にすることを目的とする。
【００１２】
また、着脱可能であることから選択的に室内側または室外側に設置することによって、転落防止用途の外に防犯機能を果たすことを目的とする。
【００１３】
また、構成要素が簡単で、取り付けが容易で、また低費用で設置することができることを目的とする。
【課題を解決するための手段】
【００１４】
本発明の窓用転落防止装置は、上記のような課題を解決するために、水平に平行するように互いに離間して設置されている２つの窓枠水平部材（１ａ）と、前記２つの窓枠水平部材（１ａ）の上端と下端とを連結する窓枠垂直部材（１ｂ）とで構成される窓枠（１）と、２つの引き戸垂直部材（２ｂ）と、前記２つの引き戸垂直部材（２ｂ）の上端と下端とを連結する引き戸水平部材（２ａ）とで構成され、前記窓枠（１）の窓枠水平部材（１ａ）に沿ってスライディングしながら移動する引き戸枠（２）とで構成される窓用転落防止装置において、前記窓枠水平部材（１ａ）と平行するように設置されているガイド部材（１０）と；一側が前記ガイド部材（１０）と連結され、前記ガイド部材（１０）に沿って移動可能に設置されており、チェーンが連続的に連結されて形成されている複数の垂直チェーンワイヤ（２０）と；一側端部は前記一側の引き戸垂直部材（２ｂ）に連結され、他側端部は前記一側の引き戸垂直部材（２ｂ）が移動して合う部分の前記窓枠垂直部材（１ｂ）に連結され、チェーンが連続的に連結されて形成され、中間部分が前記垂直チェーンワイヤ（２０）と連結されている複数の水平チェーンワイヤ（３０）；とを含んで構成される。
【００１５】
この時、上記水平チェーンワイヤの一側端部は上記引き戸垂直部材と着脱可能に連結されていることを特徴とする。
【００１６】
また、上記水平チェーンワイヤの他側端部は上記窓枠垂直部材と着脱可能に連結されていることを特徴とする。
【００１７】
また、上記ガイド部材、垂直チェーンワイヤ及び水平チェーンワイヤは室内側または室外側の中の何れか１ヶ所に設置されていることを特徴とする。
【発明の効果】
【００１８】
本発明によって、水平チェーンワイヤの一側は引き戸枠に連結し、他側は窓枠に連結したまま引き戸を開ける時には水平チェーンワイヤが窓の開口部を阻んで転落を防止し、引き戸を閉める時には、引き戸枠と窓枠との間に水平チェーンワイヤ及び垂直チェーンワイヤが密着された状態を保持して視野に入らないようにして、優れた見掛けを確保することができる。
【００１９】
また、水平チェーンワイヤは選択的に引き戸枠や窓枠に着脱可能に構成されることによって火事などの非常時には脱出することができる。
【００２０】
また、着脱可能であることから選択的に室内側または室外側に設置することによって転落防止用途の外に防犯機能を果たすことができる。
【００２１】
また、構成要素が簡単で、取り付けが容易で、また低費用で設置することができる。
【図面の簡単な説明】
【００２２】
【図１】本発明の窓用転落防止装置の一実施例を示した分解斜視図である。
【図２】図１の窓用転落防止装置が設置された状態を示した斜視図である。
【図３】図２の状態で引き戸を閉めた時の状態を示した斜視図である。
【図４】水平チェーンワイヤの他側端部が窓枠に連結される多様な例を示した概略図である。
【図５】本発明で水平チェーンワイヤの一側端部と他側端部がそれぞれ引き戸枠と窓枠に着脱可能に構成された一例を示した斜視図である。
【発明を実施するための形態】
【００２３】
以下、本発明の窓用転落防止装置について添付された図面を通じて詳しく説明する。
【００２４】
本発明の窓用転落防止装置は、図１に示したように、水平に平行するように互いに離間されて設置されている２つの窓枠水平部材１ａと、上記２つの窓枠水平部材１ａの上端と下端とを連結する窓枠垂直部材１ｂとで構成される窓枠１と、２つの引き戸垂直部材２ｂと、２つの引き戸垂直部材２ｂの上端と下端とを連結する引き戸水平部材２ａとで構成され、上記窓枠１の窓枠水平部材１ａに沿ってスライディングしながら移動する引き戸枠２とで構成された窓に設置される。
【００２５】
本発明の窓用転落防止装置は、大きくガイド部材１０、水平チェーンワイヤ３０及び垂直チェーンワイヤ２０を含んで構成される。
【００２６】
ガイド部材１０は垂直チェーンワイヤ２０の移動をガイドするためのもので、図示したように、両側端部が窓枠水平部材１ａに固定され、中央部分は端部から曲がって窓枠水平部材１ａから所定距離離隔された棒形状に形成されることができる。
【００２７】
このようなガイド部材１０は、図示された例に限定されないで、レールとレールに沿って移動するピンとで構成され、垂直チェーンワイヤ２０がピンに連結されるように構成するなど水平チェーンワイヤ３０の一側端部または他側端部をガイドすることができるように、公知の多様なガイド手段を適用して構成することができる。
【００２８】
垂直チェーンワイヤ２０は、図示したように、複数のチェーンが互いに連続的に連結されて形成され、一側が上記ガイド部材１０と連結されて、ガイド部材１０に沿って移動可能に複数設置されている。
【００２９】
図面には最上端のリング形態に形成されたチェーンがガイド部材１０に挿入されている形態が示されているが、これに限定されるのではなく、別途のリンクなどが垂直チェーンワイヤ２０に連結されて、ガイド部材１０に着脱可能に設置されることもできる。
【００３０】
このような垂直チェーンワイヤ２０は、その長さを窓の垂直長さと同一またはより長く形成することもできるが、図示したように、両側端部がガイド部材１０に連結されるほどの長さで形成することが好ましい。
【００３１】
水平チェーンワイヤ３０は、図示したように、複数のチェーンが互いに連続的に連結されて形成され、一側端部は一側の引き戸垂直部材２ｂに連結され、他側端部は上記一側の引き戸垂直部材２ｂが移動して合う部分の窓枠垂直部材１ｂに連結されている。
【００３２】
また、水平チェーンワイヤ３０は、図示したように、中間部分が垂直チェーンワイヤ２０と連結されている。
【００３３】
このような垂直チェーンワイヤ２０は、引き戸が完全に開放されている状態では、図２に示されているように、転落を防止するように張り切っている状態を保持することが好ましく、引き戸が閉まっている状態では、図３のように、緩く垂れた形態になるように適切な長さを調節して設置されることが好ましい。
【００３４】
この時、水平チェーンワイヤ３０の他側端部、即ち窓枠１の窓枠垂直部材１ｂに連結される位置は、図示したように、断面上で窓枠垂直部材１ｂの外側面または内側面など多様な位置に設置されることができる。
【００３５】
上記のような構成において、水平チェーンワイヤ３０の一側端部即ち引き戸枠２の引き戸垂直部材２ｂと連結される部分と、他側端部即ち窓枠１の窓枠垂直部材１ｂと連結される部分は、必要によって固定的に構成されるか、２つの中の何れか一つを着脱可能な形態に構成するか、または両側とも着脱可能に構成することができる。
【００３６】
完全に固定する方式は、ボルトや釘などを利用した固定方式、溶接による固定方式、接着による固定方式を適用することができる。
【００３７】
また、着脱可能にする方式は、図５に示されているように、水平チェーンワイヤ３０の一側または他側端部にリンク４０を設置し、引き戸枠２の引き戸垂直部材２ｂと窓枠１の窓枠垂直部材１ｂにそれぞれ輪（５０）を固定させて設置することによって簡便に着脱方式を適用することができる。
【００３８】
このような着脱方式は図５の例に限定されるのではなく、公知の多様な着脱方式を適用することができる。
【００３９】
また、複数の水平チェーンワイヤ３０と連結されるプレートなどの部材を具備した後、このプレートがそれぞれ窓枠垂直部材１ｂや引き戸枠垂直部材に着脱可能に連結されるように構成することもできる。
【００４０】
上記のような構成において、本発明の構成要素であるガイド部材１０、垂直チェーンワイヤ２０及び水平チェーンワイヤ３０は室外側に設置されることに限定されるのではなく、使用者の便宜によって室内側に設置されて、防犯窓の役割を果たすこともできる。
【００４１】
このために、ガイド部材１０も窓枠１の窓枠水平部材１ａに着脱可能に設置されることが好ましい。
【００４２】
以上のように構成された本発明の窓用転落防止装置は、図２に示すように、引き戸が開いている状態では水平チェーンワイヤ３０が張り切っている状態を保持しながら、水平チェーンワイヤ３０と垂直チェーンワイヤ２０とが互いに連結されて格子状を形成して、子供などが窓から外部に転落することを防止することができる。
【００４３】
また、引き戸が閉まっている状態では、水平チェーンワイヤ３０が緩い状態を保持しながら互いに触れ合って狭い空間のみを占めるようになるので、見掛けを損なうことなく、広い視野を提供する。
【００４４】
また、水平チェーンワイヤ３０及び垂直チェーンワイヤ２０は、従来の垂直部材に溝を形成し、これに挿入されるリンクを形成した構成に比べて、各チェーンが多様な遊動性を有して結合されることによって、建物の外壁面が「一」字状をなすことができないか、または障子の形態が平たくなくて、ラウンドされた形状でも円滑に作動するという長所を有する。
【００４５】
また、水平チェーンワイヤ３０や垂直チェーンワイヤ２０の中間部分をリンク形態に形成する場合、水平チェーンワイヤ３０と垂直チェーンワイヤ２０の連結部位を調節することができて、多様な大きさの窓に格子の大きさを多様に調節して設置することもできる。
【００４６】
以上で説明した本発明の窓用転落防止装置は、図示された構成に限定されるのではなく、特許請求の範囲に記載された技術思想を満たす範囲内で多様な実施例が可能であることは勿論である。
【図１】
2014526003.tif 000003
【図２】
2014526003.tif 000004
【図３】
2014526003.tif 000005
【図４】
2014526003.tif 000006
【図５】
2014526003.tif 000007
【国際調査報告】
2014526003.tif 000008
2014526003.tif 000009
2014526003.tif 000010
2014526003.tif 000011